(57)【要約】【課題】拡幅部の追設にあたり下部工の改修工事を省略あるいは低減できる橋梁ならびに橋梁の拡幅工法を提供すること。【解決手段】この橋梁Ｐは、既設の橋梁を既設部として、その幅を拡張して成る。橋梁Ｐは、既設部に対して追設されて既設部の幅員を拡張する拡幅部Ｐ１と、既設部に並行して追設されると共に拡幅部Ｐ１を吊り下げて支持する支持部Ｐ２とを含むことを特徴とする。前記既設部に前記拡幅部Ｐ１を追設するにあたっては、まず、前記既設部に並行して前記支持部Ｐ２を追設する。そして、前記既設部の幅員を拡張する拡幅部Ｐ１を前記既設部に追設すると共に、前記支持部Ｐ２に前記拡幅部Ｐ１を吊り下げる。【選択図】図２
2005105652.tif 000002
【特許請求の範囲】
【請求項１】
既設の橋梁を既設部として、その幅員を拡張して成る橋梁であって、
前記既設部の幅員を拡張する拡幅部と、
前記既設部の上部に追設されると共に、前記拡幅部を吊り下げて支持する支持部と、
を設けたことを特徴とする橋梁。
【請求項２】
前記拡幅部が、前記既設部の橋桁を拡幅する拡幅橋桁を含み、該拡幅橋桁によって前記既設部の橋桁に固定され、前記支持部が前記拡幅部を前記拡幅橋桁において支持することを特徴とする請求項１に記載の橋梁。
【請求項３】
前記既設部の橋脚と、前記拡幅橋桁との間には、弾性支承が挿設されることを特徴とする請求項２に記載の橋梁。
【請求項４】
前記支持部が、前記既設部の橋台または橋脚を基礎として設置されることを特徴とする請求項１〜３のいずれか１項に記載の橋梁。
【請求項５】
前記支持部には、前記拡幅部を支持するにあたり、プレストレスが付与されることを特徴とする請求項１〜４のいずれか１項に記載の橋梁。
【請求項６】
前記支持部が、アーチ部と、前記アーチ部に垂設されるケーブルとを含み、且つ、前記拡幅部が、前記ケーブルによって支持されることを特徴とする請求項１〜５のいずれか１項に記載の橋梁。
【請求項７】
前記支持部が、主塔と、前記主塔および前記拡幅部を結び張設される斜材とを含み、且つ、前記拡幅部が、前記斜材により支持されることを特徴とする請求項１〜５のいずれか１項に記載の橋梁。
【請求項８】
前記支持部が、一対の主塔と、これらの主塔間に架け渡された主ケーブルと、前記ケーブルに垂設された吊ケーブルとを含み、且つ、前記拡幅部が、前記吊ケーブルによって支持されることを特徴とする請求項１〜５のいずれか１項に記載の橋梁。
【請求項９】
既設の橋梁を既設部として、これに拡幅部を追設して前記橋梁の幅員を拡張する橋梁の拡幅工法であって、
前記拡幅部を吊り下げて支持する支持部を追設する工程と、
前記既設部の幅員を拡張する拡幅部を前記既設部に追設すると共に、前記支持部に前記拡幅部を吊り下げる工程と、
を含むことを特徴とする橋梁の拡幅工法。
【発明の詳細な説明】
【技術分野】
【０００１】
この発明は、橋梁ならびに橋梁の拡幅工法に関し、さらに詳しくは、拡幅部の追設にあたり下部工を省略あるいは低減できる、橋梁および橋梁の拡幅工法に関する。
【背景技術】
【０００２】
近年、公共投資の抑制に伴い、新規路線の建設は、大幅に減少するものと予想される。このような状況下での道路整備の方法として、在来道路の高規格化が考えられる。橋梁分野でも、新規橋梁の建設に代わって既設橋梁の拡幅工事等の増加が予想される。
【０００３】
図８は、従来の橋梁の拡幅工法を示す説明図である。図９は、図８に記載した橋梁のＤ−Ｄ矢視図である。図８では、橋桁１０３を、両側の橋台１０１、１０１と中間橋脚１０２とで支持する構造の２径間連続桁橋の場合を示している。従来の一般的拡幅工法は、図９に示すように、既設の橋桁１０３、床版１０４に増設部１０３ａ、１０４ａを追設し、またこれらを支持するために、既設の中間橋脚１０２、橋脚基礎１０２Ａに増設部１０２ａ、１０２ｂを追設する。
【０００４】
拡幅工事にあたっては、一般に、上部工の工事は比較的容易であるが、下部工が難工事となる。上記した従来工法では、上部工すなわち、既設橋桁１０３、床版１０４に対する増設部１０３ａ、１０４ａの追設工事に加えて、下部工すなわち、中間橋脚２、橋脚基礎２Ａの追設工事が必要となる。特に図８のように、河川などに架設されている場合には、この下部工の工事がさらに難工事となることが予想され、工期が長くなり、工事費が増加するという課題がある。
【０００５】
図１０および図１１は、特許文献１及び２に開示されている橋梁のスパン拡張工法を示す説明図である。この工法は、４径間連続桁橋のスパン拡張工法として提案されたものであり、詳細は非特許文献１に開示されている。図１０に示すように、既設の４径間連続桁橋１００は、橋桁１０３を両側の橋台１０１、１０１と中央橋脚１０２ａ、１０２ｂ、１０２ｃで支持される。橋梁のスパン拡張工法は、図１１に示すように、両側に別途基礎１２５を設けて橋桁１０３の両端を支持する。そして、中央の中間橋脚１０２ｂは残すが、中間橋脚１０２ａ、１０２ｃは取り除き、代わりに、より岸側に中間橋脚１２２ａ、１２２ｃを設けてスパン（橋脚間長さ）を広げ、橋下の道路幅１３０を拡張する。さらに、中間橋脚１２２ａ、１２２ｃ上に主塔１２０を立て、この主塔１２０頂部と橋桁１０３との間に斜材１２１を張設して橋桁１０３を支持する。
【０００６】
この工法では、中央の中間橋脚１０２ｂは既設構造をそのまま使用できるが、スパンを拡張するため、基礎１２５および中間橋脚１２２ａ、１２２ｃを別途建設する必要があり、前記従来工法と同様、下部工の工事が多くなって工事費増加につながるという課題があった。また、特許文献１、２に開示される既設橋の改修工法では、橋梁のスパン拡張を目的としており、橋梁の幅員拡張に関しては何ら言及されていない。
【特許文献１】特開平８−３９２１号公報  第５図〜第７図
【特許文献２】特開平８−３９３７号公報  第４図〜第６図
【発明の開示】
【発明が解決しようとする課題】
【０００７】
そこで、この発明は、上記に鑑みてされたものであって、拡幅部の追設にあたり下部工の改修工事を省略あるいは低減できる、橋梁および橋梁の拡幅工法を提供することにある。
【課題を解決するための手段】
【０００８】
上記目的を達成するために、この発明にかかる橋梁は、既設の橋梁を既設部として、その幅員を拡張して成る橋梁であって、前記既設部の幅員を拡張する拡幅部と、前記既設部の上部に追設されると共に、前記拡幅部を吊り下げて支持する支持部と、を設けたことを特徴とする。
【０００９】
この発明では、既設部の上部に支持部を設けると共に、この支持部によって橋梁の拡幅部を吊り下げて支持する。これにより、拡幅部の追設にあたり、下部工の改修工事を省略、あるいは低減できる利点がある。
【００１０】
また、この発明にかかる橋梁は、前記橋梁において、前記拡幅部が、前記既設部の橋桁を拡幅する拡幅橋桁を含み、該拡幅橋桁によって前記既設部の橋桁に固定され、前記支持部が前記拡幅部を前記拡幅橋桁において支持することを特徴とする。
【００１１】
この発明では、拡幅橋桁が既設の橋桁に固定されると共に、この拡幅橋桁によって拡幅部が支持部により支持されるので、拡幅橋桁が強固に設置されて橋梁の構造上の強度が高められる利点がある。
【００１２】
また、この発明にかかる橋梁は、前記橋梁において、前記既設部の橋脚と、前記拡幅橋桁との間には、弾性支承が挿設されることを特徴とする。
【００１３】
この発明では、既設部の橋脚と拡幅橋桁との間に弾性支承が挿設されるので、免震構造が形成されて、地震に対する橋梁の構造上の強度が高められる利点がある。
【００１４】
また、この発明にかかる橋梁は、前記橋梁において、前記支持部が、前記既設部の橋台または橋脚を基礎として設置されることを特徴とする。
【００１５】
この発明では、支持部が既設部の橋台または橋脚を基礎として設置されるので、支持部を支持する橋台、あるいは橋脚を新たに設置する負担を低減できる利点がある。
【００１６】
また、この発明にかかる橋梁は、前記橋梁において、前記支持部には、前記拡幅部を支持するにあたり、プレストレスが付与されることを特徴とする。
【００１７】
この発明では、拡幅部を支持するにあたり、支持部にプレストレスが付与されるので、これらの荷重による橋梁Ｐの破損を抑制できる利点がある。
【００１８】
また、この発明にかかる橋梁は、前記橋梁において、前記支持部が、アーチ部と、前記アーチ部に垂設されるケーブルとを含み、且つ、前記拡幅部が、前記ケーブルによって支持されることを特徴とする。
【００１９】
この発明では、既設部の上方にアーチ部を設置すると共に、このアーチ部にケーブルを垂設し、このケーブルによって拡幅部を吊り下げて支持する。これにより、橋梁の下部工の改修工事を省略、あるいは低減しつつ、橋梁を拡幅できる利点がある。
【００２０】
また、この発明にかかる橋梁は、前記橋梁において、前記支持部が、主塔と、前記主塔および前記拡幅部を結び張設される斜材とを含み、且つ、前記拡幅部が、前記斜材により支持されることを特徴とする。
【００２１】
この発明では、主塔を設けて、この主塔から拡幅部に斜材を張設し、この斜材により拡幅部を支持する。これにより、これにより、橋梁の下部工の改修工事を省略、あるいは低減しつつ、橋梁を拡幅できる利点がある。
【００２２】
また、この発明にかかる橋梁は、前記橋梁において、前記支持部が、一対の主塔と、これらの主塔間に架け渡された主ケーブルと、前記ケーブルに垂設された吊ケーブルとを含み、且つ、前記拡幅部が、前記吊ケーブルによって支持されることを特徴とする。
【００２３】
この発明では、一対の主塔を設けて、これらの主塔間に主ケーブルを架け渡し、この主ケーブルに吊ケーブルを垂設して、拡幅部を吊り下げて支持する。これにより、これにより、橋梁の下部工の改修工事を省略、あるいは低減しつつ、橋梁を拡幅できる利点がある。
【００２４】
また、この発明にかかる橋梁の拡幅方法は、既設の橋梁を既設部として、これに拡幅部を追設して前記橋梁の幅員を拡張する橋梁の拡幅工法であって、前記拡幅部を吊り下げて支持する支持部を追設する工程と、前記既設部の幅員を拡張する拡幅部を前記既設部に追設すると共に、前記支持部に前記拡幅部を吊り下げる工程と、を含むことを特徴とする。
【００２５】
この発明によれば、既設部の上部に支持部を設けると共に、この支持部によって橋梁の拡幅部を吊り下げて支持して橋梁に拡幅部を設けるので、拡幅部の追設にあたっては、下部工の改修工事を省略あるいは下部工を低減できる利点がある。
【発明の効果】
【００２６】
本発明では、橋梁既設部に並行して支持部を設けると共に、この支持部で橋梁の拡幅部を吊り下げて支持して橋梁に拡幅部を設けるようにした。その結果、拡幅部の追設にあたっては、下部工の改修工事を省略あるいは下部工を低減することができる。
【発明を実施するための最良の形態】
【００２７】
以下、この発明につき図面を参照しつつ詳細に説明する。なお、この実施の形態によりこの発明が限定されるものではない。また、以下に示す実施の形態の構成要素には、当業者が置換可能且つ容易なもの、あるいは実質的に同一のものが含まれる。
【００２８】
（実施の形態１）
図１は、この発明の実施の形態１にかかる橋梁を示す全体構成図である。図２は、図１に記載した橋梁を示すＡ−Ａ矢視図である。この橋梁Ｐは、既設の橋梁（以下、橋梁Ｐの既設部という。）を拡幅するにあたり、既設部の構造を利用することにより、中間橋脚２の新設、その他の下部工の工事負担を省略、あるいは低減できる点に特徴を有する。具体的には、橋梁Ｐの既設部に対して、拡幅にかかる部分（以下、橋梁Ｐの拡幅部Ｐ１という。）と、この拡幅部Ｐ１を支持する部分（以下、橋梁Ｐの支持部Ｐ２という。）とを追設することにより、その幅員を拡張する。ここで、橋梁の幅員とは、車両や人間が橋梁Ｐを通行する方向に対して直交する方向の幅をいう。なお、図２では、橋梁Ｐの拡幅部Ｐ１および支持部Ｐ２にハッチングを施し、既設部に対して区別している。
【００２９】
図１および図２に示すように、この橋梁Ｐは、二径間連続桁橋であり、既設部が、橋台１、１と、中間橋脚２と、橋桁３と、床版４と、支承５とを含み構成される。橋台１、１は、河川の両岸に設けられる。中間橋脚２は、河川の略中央に設けられて、これらの橋台１、１の中間に位置する。橋台１、１および中間橋脚２の上部には、複数の支承５がそれぞれ配置される。橋桁３は、これらの支承５を介して、橋台１、１および中間橋脚２に底部を支持され、河川に架け渡される。また、橋桁３上は、床版４およびアスファルト（図示省略）により舗装される。なお、上記した橋梁Ｐの既設部は、現に設置されて拡幅工事の対象となっている既設の橋梁であり、その形状、構造および材質に限定がない。また、この発明は、上記した二径間連続桁橋のみならず、その他の既存の橋梁に対しても適用可能である。
【００３０】
次に、橋梁Ｐの既設部には、拡幅部Ｐ１が追設される。拡幅部Ｐ１は、橋梁Ｐの既設部を幅員方向に拡張する部分であり、拡幅橋桁３ａと拡幅床版４ａとを含み構成される。拡幅橋桁３ａは、既設部の橋桁３の両縁に沿って水平方向に並べられ、既設部の橋桁３に対してボルト、溶接、嵌合その他の固定手段により固定される。これにより、既設部の橋桁３が拡幅されると共に、既設部の橋桁３に対する拡幅橋桁３ａの設置強度が高められる（図２参照）。拡幅床版４ａは、拡幅橋桁３ａ上に設置され、その上をアスファルト（図示省略）で舗装される。
【００３１】
なお、この橋梁Ｐでは、拡幅橋桁３ａおよび拡幅床版４ａが、既設部の橋桁３および床版４に対して、それぞれ同一の形状、構造および材質により形成される。例えば、この橋梁Ｐでは、拡幅橋桁３ａが、橋桁３と同一材料（鉄鋼材）から成り、且つ、同一スパンを有する。また、拡幅床版４ａも、床版４と同じコンクリート製である。これにより、既設部と拡幅部Ｐ１とが略同一特性を有するので、橋梁Ｐの使用による振動や地震、気温差による熱延び等に対して、橋梁Ｐの耐久性を高められる点で好ましい。しかし、これに限らず、拡幅橋桁３ａおよび拡幅床版４ａが、既設部の橋桁３および床版４に対して、それぞれ異なる形状、構造および材質を有してもよい。これにより、任意の既存の橋梁に対して、簡易に拡幅部Ｐ１を追設できる利点がある。
【００３２】
また、橋梁Ｐの既設部には、支持部Ｐ２が追設される。支持部Ｐ２は、拡幅部Ｐ１を支持する部分であり、この実施の形態１では、アーチ部７とケーブル８とを含み構成される。アーチ部７は、鉄鋼製、あるいは鉄筋コンクリート製であり、両端を橋台１、１によって支持されて既設部の上方に架設される（図１および図２参照）。ケーブル８は、鋼製ワイヤーであり、アーチ部７に対して複数本が垂設されると共に、その先端を拡幅部Ｐ１の拡幅橋桁３ａに固定されて張設される。これにより、拡幅橋桁３ａが、ケーブル８により上方から吊り下げられる。拡幅橋桁３ａは、かかる支持部Ｐ２による吊り下げと、橋桁３への固定とにより支持されて、拡幅橋桁３ａの自重、拡幅床版４ａの重量および交通荷重（例えば、橋梁Ｐを通過する車両の重量）に耐え得る設置強度が付与される。このように、支持部Ｐ２は拡幅床版４ａの重量および交通荷重を支持すればよく、橋梁Ｐの既設部全体を支持する必要はない。このため、橋梁Ｐの既設部全体を支持する場合と比較して支持部Ｐ２を簡易に設計できるので、設計および施工が容易になると共に、施工コストも低減できる。
【００３３】
なお、橋梁Ｐの拡幅工程において、具体的には、拡幅部Ｐ１および支持部Ｐ２の追設にあたり、まず、支持部Ｐ２のアーチ部７側が架設されて、ケーブル８が垂設される。次に、拡幅部Ｐ１の拡幅橋桁３ａが橋桁３に固定設置されると共に、支持部Ｐ２のケーブル８により吊り下げられる。このとき、アーチ部７およびケーブル８には、拡幅部Ｐ１の重量や交通荷重に対応したプレストレスが形成され、これらの荷重方向に対して逆向きの変形が付与される。これにより、これらの荷重による橋梁Ｐの破損を抑制できる利点がある。かかるプレストレスの形成は、当業者任意の工法を選択して為し得る。そして、拡幅橋桁３ａが設置された後に、この上に拡幅床版４ａが形成される。
【００３４】
ここで、かかる橋梁Ｐの拡幅工程は、一例であり、これに限定されるものではない。また、この橋梁Ｐでは、支持部Ｐ２の追設にあたり、中間橋脚２を新規に設けることなく、既設の構造をそのまま使用する。さらに、両側の橋台１、１についても、既設の構造をそのまま使用する。ただし、橋台１、１には、拡幅部Ｐ１および支持部Ｐ２の重量が新たに付加されるため、かかる重量を考慮して、既設の構造に補強あるいは追設を施すことが好ましい。
【００３５】
また、この例ではアーチ部７が既設部の両側にあるが、拡幅する幅が大きくないときには、アーチ部７を既設部の片側のみに設け、片側のみを拡幅してもよい。さらに、アーチ部７が既設部の両側にある場合、一方の拡幅工事を先行し、もう片方の拡幅工事を後から進めることもできる。このようにすれば、道路を片側づつ利用しながら拡幅できるので、橋梁を完全に通行止めにすることなく拡幅工事を進めることができる。
【００３６】
以上説明したように、この橋梁Ｐでは、既設部に対して拡幅部Ｐ１および支持部Ｐ２を追設することにより拡幅を行い、且つ、拡幅部Ｐ１および支持部Ｐ２の追設は、原則として、上部工の工事のみにより行われる。これにより、負担の大きい下部工の工事が省略、あるいは低減されるので、拡幅工事の工期を大幅に短縮できると共に、工事費の低減が可能であり、また、地震に対する耐久性も高められる利点がある。また、この橋梁Ｐでは、拡幅橋桁３ａが既設部の橋桁３に固定されると共に、この拡幅橋桁３ａによって拡幅部Ｐ１が支持部Ｐ２により吊り下げられ支持されるので、拡幅橋桁３ａが強固に設置されて橋梁Ｐの構造上の強度が高められる利点がある。
【００３７】
なお、支承５は、弾性支承とすることが好ましい。図３は、図２に記載した支承の一例を示す側面図である。同図に示すように、この支承５は、鉄板５ａとゴム材料５ｂとを交互に積層して構成される。かかる弾性支承５を橋桁３（拡幅橋桁３ａ）と中間橋脚２との間に挿設することにより、橋梁Ｐに免震構造が形成されて橋桁３への地震力の伝達が抑制される。これにより、橋梁Ｐの耐久性を高められる利点がある。
【００３８】
また、この橋梁Ｐでは、橋梁Ｐの拡幅量が、拡幅橋桁３ａおよび拡幅床版４ａの幅員寸法および配置数によって、任意に調整できる利点がある。拡幅量の調整は、具体的には、アーチ部７、７の設置幅や構造強度、ケーブル８の張力や強度を、拡幅部Ｐ１の寸法や重量に対応させて調整することにより行う。この実施の形態１では、拡幅橋桁３ａが既設の橋桁３の両側にそれぞれ２列ずつ追設されて約２倍に拡幅され、また、拡幅床版４ａが既設の床版４の両側に追設されて床版４の幅員が約５割増しに拡幅される（図２参照）。
【００３９】
（実施の形態２）
図４は、この発明の実施の形態２にかかる橋梁を示す全体構成図である。図５は、図４に記載した橋梁を示すＢ−Ｂ矢視図である。これらの図において、実施の形態１の橋梁Ｐと同一の構成要素には同一の符号を付し、その説明を省略する。この実施の形態２にかかる橋梁Ｐは、実施の形態１の橋梁Ｐと比較して、支持部Ｐ２が、主塔１０と複数の斜材１１とを含み構成される点に特徴を有する。
【００４０】
この橋梁Ｐにおいて、主塔１０、１０は、鋼製、または、鋼材およびコンクリートの複合材製であり、既設部の橋台１、１上にそれぞれ立設される。なお、主塔１０は、既設部の橋脚２上にさらに設置されても良い。斜材１１は、鋼製ワイヤーであり、一端を主塔１０側に固定され、他端を拡幅部Ｐ１の拡幅橋桁３ａに固定されて、中間橋脚２（河川中央）側に斜めに張設される（図４参照）。これにより、拡幅部Ｐ１が支持部Ｐ２により支持され、拡幅部Ｐ１の重量および交通荷重に対する支持構造が形成される。また、河川の両岸には、橋台１を中間橋脚２との間に挟む位置にアンカー１２が設置される。このアンカー１２は、各橋台１、１に対してそれぞれ設けられる。アンカー１２と主塔１０との間には、補助斜材１１ａが斜め方向に張設される。補助斜材１１ａは、斜材１１に加わる張力によって主塔１０が受ける反力を反対方向から支持する。これにより、主塔１０の倒壊が抑制される。
【００４１】
なお、この橋梁Ｐでは、支持部Ｐ２の追設にあたり、中間橋脚２を新規に設けることなく、既設の構造をそのまま使用する。また、両側の橋台１、１についても、既設の構造をそのまま使用する。ただし、橋台１、１には、拡幅部Ｐ１および支持部Ｐ２の重量が新たに付加されるため、かかる重量を考慮して、既設の構造に補強、あるいは追設を施すことが好ましい。また、主塔１０、斜材１１および補助斜材１１ａには、拡幅部Ｐ１の重量や交通荷重に対応したプレストレスが形成され、これらの荷重方向に対して逆向きの変形が付与される。これにより、これらの荷重による橋梁Ｐの破損を抑制できる利点がある。かかるプレストレスの形成は、当業者任意の工法を選択して為し得る。また、この橋梁Ｐでは、実施の形態１と同様に、拡幅部Ｐ１の追設にあたり支承５を追設してもよく、特に、弾性支承５を追設することが好ましい。
【００４２】
また、この例では主塔１０が既設部の両側にあるが、拡幅する幅が大きくないときには、主塔１０を既設部の片側のみに設け、片側のみを拡幅してもよい。さらに、主塔１０が既設部の両側にある場合、一方の拡幅工事を先行し、もう片方の拡幅工事を後から進めることもできる。このようにすれば、道路を片側づつ利用しながら拡幅できるので、橋梁を完全に通行止めにすることなく拡幅工事を進めることができる。
【００４３】
以上説明したように、この橋梁Ｐでは、既設部に対して拡幅部Ｐ１および支持部Ｐ２を追設することにより拡幅を行い、且つ、拡幅部Ｐ１および支持部Ｐ２（主塔１０、斜材１１、補助斜材１１ａおよびアンカー１２）の追設は、原則として、上部工の工事のみにより行われる。これにより、負担の大きい下部工の工事が省略、あるいは低減されるので、拡幅工事の工期を大幅に短縮できると共に、工事費の低減が可能であり、また、地震に対する耐久性も高められる利点がある。
【００４４】
（実施の形態３）
図６は、この発明の実施の形態３にかかる橋梁を示す全体構成図である。図７は、図６に記載した橋梁を示すＣ−Ｃ矢視図である。これらの図において、実施の形態１の橋梁Ｐと同一の構成要素には同一の符号を付し、その説明を省略する。この実施の形態２にかかる橋梁Ｐは、実施の形態１の橋梁Ｐと比較して、支持部Ｐ２が、主塔１３と、主ケーブル１４と、複数の吊ケーブル１５とを含み構成される点に特徴を有する。
【００４５】
この橋梁Ｐにおいて、主塔１３、１３は、鋼製、または、鋼材およびコンクリートの複合材製であり、既設部の橋台１、１上にそれぞれ立設される。なお、主塔１３は、既設部の橋脚２上にさらに設置されても良い（図示省略）。主ケーブル１４は、鋼製ワイヤーであり、主塔１３、１３間に架け渡される。吊ケーブル１５は、主ケーブルに垂設され、先端を拡幅部Ｐ１の拡幅橋桁３ａに固定される（図４参照）。これにより、拡幅部Ｐ１が支持部Ｐ２により支持され、拡幅部Ｐ１の重量および交通荷重に対する支持構造が形成される。また、河川の両岸には、橋台１を中間橋脚２との間に挟む位置にアンカー１６が設置される。このアンカー１６は、各橋台１、１に対してそれぞれ設けられる。アンカー１６と主塔１３との間には、補助ケーブル１４ａが架け渡される。補助ケーブル１４ａは、主ケーブル１４に加わる張力によって主塔１３が受ける反力を反対方向から支持する。これにより、主塔１３の倒壊が抑制される。
【００４６】
なお、この橋梁Ｐでは、支持部Ｐ２の追設にあたり、中間橋脚２を新規に設けることなく、既設の構造をそのまま使用する。また、両側の橋台１、１についても、既設の構造をそのまま使用する。ただし、橋台１、１には、拡幅部Ｐ１および支持部Ｐ２の重量が新たに付加されるため、かかる重量を考慮して、既設の構造に補強、あるいは追設を施すことが好ましい。また、主塔１３、主ケーブル１４、補助ケーブル１４ａおよび吊ケーブル１５には、拡幅部Ｐ１の重量や交通荷重に対応したプレストレスが形成され、これらの荷重方向に対して逆向きの変形が付与される。これにより、これらの荷重による橋梁Ｐの破損を抑制できる利点がある。かかるプレストレスの形成は、当業者任意の工法を選択して為し得る。また、この橋梁Ｐでは、実施の形態１と同様に、拡幅部Ｐ１の追設にあたり支承５を追設してもよく、特に、弾性支承５を追設することが好ましい。
【００４７】
以上説明したように、この橋梁Ｐでは、既設部に対して拡幅部Ｐ１および支持部Ｐ２を追設することにより拡幅を行い、且つ、拡幅部Ｐ１および支持部Ｐ２（主塔１３、主ケーブル１４、補助ケーブル１４ａおよび吊ケーブル１５）の追設は、原則として、上部工の工事のみにより行われる。これにより、負担の大きい下部工の工事が省略、あるいは低減されるので、拡幅工事の工期を大幅に短縮できると共に、工事費の低減が可能であり、また、地震に対する耐久性も高められるという利点がある。
【図面の簡単な説明】
【００４８】
【図１】この発明の実施の形態１にかかる橋梁を示す全体構成図である。
【図２】図１に記載した橋梁を示すＡ−Ａ矢視図である。
【図３】図２に記載した支承の一例を示す側面図である。
【図４】この発明の実施の形態２にかかる橋梁を示す全体構成図である。
【図５】図４に記載した橋梁を示すＢ−Ｂ矢視図である。
【図６】この発明の実施の形態３にかかる橋梁を示す全体構成図である。
【図７】図６に記載した橋梁を示すＣ−Ｃ矢視図である。
【図８】従来の橋梁の拡幅工法を示す説明図である。
【図９】図８に記載した橋梁のＤ−Ｄ矢視図である。
【図１０】特許文献１及び２に開示されている橋梁のスパン拡張工法を示す説明図である。
【図１１】特許文献１及び２に開示されている橋梁のスパン拡張工法を示す説明図である。
【符号の説明】
【００４９】
Ｐ  橋梁
Ｐ１  拡幅部
Ｐ２  支持部
１  橋台
２  中間橋脚
３  橋桁
３ａ  拡幅橋桁
４  床版
４ａ  拡幅床版
５  支承（弾性支承）
５ａ  鉄板
５ｂ  ゴム材料
７  アーチ部
８  ケーブル
１０  主塔
１１  斜材
１１ａ  補助斜材
１２  アンカー
１３  主塔
１４  主ケーブル
１４ａ  補助ケーブル
１５  吊ケーブル
１６  アンカー
【図１】
2005105652.tif 000003
【図２】
2005105652.tif 000004
【図３】
2005105652.tif 000005
【図４】
2005105652.tif 000006
【図５】
2005105652.tif 000007
【図６】
2005105652.tif 000008
【図７】
2005105652.tif 000009
【図８】
2005105652.tif 000010
【図９】
2005105652.tif 000011
【図１０】
2005105652.tif 000012
【図１１】
2005105652.tif 000013